(57)【特許請求の範囲】
【請求項１】
軸部と、該軸部の先端方向に一体となる塗布部とから構成され、
該塗布部の表面において、互いに材質、径、長さ又は色のうち少なくとも１つ以上の異なる構成要素を有するパイルを静電植毛加工により一体に接着して複数の塗布面を形成するものであって、
塗布部は、一面は長いパイルによって形成されつつ、その略中央の一部に短いパイルによって凹陥部が形成される塗布面、他面は長いパイルによって平坦に形成される塗布面とからなる
ことを特徴とする化粧料塗布体。
【発明の詳細な説明】
【技術分野】
【０００１】
本願発明は、例えば、液状リップ、リップグロス、又はアイシャドウ等の化粧料を塗布するために使用する化粧料塗布体に関する。
【背景技術】
【０００２】
従来、上記化粧料を塗布するために使用する化粧料塗布体には、その塗布部において、軟質材の成形品の表面に対して静電植毛加工によりナイロン等のパイルを一体に接着させるものがある（特許文献１参照）。その結果、化粧料塗布体の塗布部における触感、化粧料の保持性、塗布性、及びボカシ等の操作性に優れたものとなる。
【０００３】
しかしながら、塗布部に対して一体に接着されるパイルは主として単一であって、しかも塗布部の表面において均質に接着されているので、塗布部における触感、化粧料の保持性、塗布性、及びボカシ等の操作性は略同様となってしまうものである。すなわち、使用者は必要に合わせて、触感、化粧料の保持性、塗布性、又は操作性の異なる塗布面を選択して、化粧料の塗布を変化させることができないものである。
そのため、互いに異なる構成要素のパイルから形成される塗布面を有する塗布部によって構成される化粧料塗布体を複数併用することも考えられるが、外出先に複数の化粧料塗布体を携帯することは非常に煩雑であり、実用的ではないものである。
【先行技術文献】
【特許文献】
【０００４】
【特許文献１】特開２００２−１７２０１９号公報
【発明の概要】
【発明が解決しようとする課題】
【０００５】
本願発明が解決しようとする課題は、一つの化粧料塗布体で、使用者の必要とする触感、化粧料の保持性、塗布性、又は操作性に合わせて塗布面を選択し、化粧料を簡易かつ確実に塗布できるようにする点である。
【課題を解決するための手段】
【０００６】
第１の特徴として、
軸部と、該軸部の先端方向に一体となる塗布部とから構成され、
該塗布部の表面において、互いに材質、径、長さ又は色のうち少なくとも１つ以上の異なる構成要素を有するパイルを静電植毛加工により一体に接着して複数の塗布面を形成するものであって、
塗布部１２ｃの表面は、一面は長いパイルによって形成されつつ、その略中央の一部に短いパイルによって凹陥部１３が形成される塗布面１２ｃ’、他面は長いパイルによって平坦に形成される塗布面１２ｃ”とからなるものである。
【０００７】
そのため、一つの化粧料塗布体の塗布部において、構成要素が異なるパイルからなる塗布面が複数形成されるものとなる。
その結果、使用者は、触感、化粧料の保持性、塗布性、又は操作性が互いに異なる複数の塗布面から最適な塗布面を選択することによって、化粧料の塗布作業を簡易かつ確実に行うことができるものである。
【０００８】
さらに、一つの化粧料塗布体の塗布部において形成される複数の塗布面は、使用者が必要とする触感、化粧料の保持性、塗布性、又は操作性において確実に適合させることができるようになる。
【０００９】
特に、パイルの有する互いに異なる構成要素が多くなればなるほど、使用者の必要とする触感、化粧料の保持性、塗布性、又は操作性において広範囲に渡って確実に適合させることができるものとなる。
その結果、使用者は、必要に合わせて選択した最適な塗布面によって、化粧料の塗布作業をより簡易かつ確実に行うことができるようになるものである。
【００１０】
なお、塗布面を形成するパイルにおいて、その構成要素のうち、例えばパイルの材質を変えることで塗布面の硬度や化粧料の保持量は互いに異なるものとなり、パイルの径を変えることで塗布面の硬度は互いに異なるものとなり、パイルの長さを変えることで塗布面の硬度や化粧料の保持量は互いに異なるものとなり、またパイルの色を変えることで装飾性の向上と共に、塗布面の区別をより視覚的に行うことができるものとなる。
【００１１】
その上で、第１の特徴のように、
上記塗布部が、一面は長いパイルによって形成されつつ、その略中央の一部に短いパイルによって凹陥部が形成される塗布面、他面は長いパイルによって平坦に形成される塗布面とからなるので、略中央の一部に凹陥部が形成されている一面の塗布面では、該凹陥部内に化粧料を多量に貯留するので、化粧料を厚く塗布することができるとともに、略中央の短いパイルにより形成される凹陥部１３によってその表面を平滑にすることができるものとなる。
その一方で、凹陥部１３がない平坦な他面の塗布面１２ｃ”では、相対的に化粧料６を多量に貯留するので、化粧料６を厚く塗布することができるものとなる。
【発明の効果】
【００１２】
本願発明は、一つの化粧料塗布体の塗布部の表面において、静電植毛加工により互いに異なる構成要素を有するパイルを一体に接着して複数の塗布面を形成するものであるので、使用者の必要とする触感、化粧料の保持性、塗布性、又は操作性に合わせた塗布面を選択することによって、化粧料の塗布作業を簡易かつ確実に行うことができる優れた効果を有するものである。
【図面の簡単な説明】
【００１３】
【図１】図１は、本願発明の実施例１である化粧料塗布体を具える化粧料容器の部分横断面図である。
【図２】図２（イ）は本願発明の実施例１である化粧料塗布体を具える化粧料容器を構成するキャップの部分横断面図であり、同図（ロ）は本願発明の実施例１である化粧料塗布体の要部拡大部分縦断面図である。
【図３】図３（イ）は本願発明の実施例１であるキャップ先端の要部拡大正面図、（ロ）は同左側面図、（ハ）は要部拡大横断面図、及び（ニ）は要部拡大縦断面図である。
【図４】図４（イ）は本願発明の実施例２であるキャップ先端の要部拡大正面図、（ロ）は同左側面図、（ハ）は要部拡大横断面図、及び（ニ）は要部拡大縦断面図である。
【図５】図５（イ）は本願発明の実施例３であるキャップ先端の要部拡大正面図、（ロ）は同左側面図、（ハ）は要部拡大横断面図、及び（ニ）は要部拡大縦断面図である。
【図６】図６（イ）は本願発明の実施例４であるキャップ先端の要部拡大正面図、（ロ）は同左側面図、（ハ）は要部拡大横断面図、及び（ニ）は要部拡大縦断面図である。
【発明を実施するための形態】
【００１４】
一つの化粧料塗布体の塗布部において形成された複数の塗布面から、使用者は、必要とする触感、化粧料の保持性、塗布性、又は操作性に合わせた塗布面を選択し、化粧料の塗布作業を簡易かつ確実に行えるように、当該複数の塗布面を形成するパイルの有する構成要素を互いに異なるようにするものである。
【実施例１】
【００１５】
図１〜図３において示すのは、本願発明の実施例１である化粧料６を塗布する化粧料塗布体１０を具える化粧料塗布容器１であり、該化粧料塗布容器１は、キャップ７と、化粧料６を収容し、その内部にシゴキ５を装着する開口部３の外周面に雄ネジ部４を螺設する容器本体２とからなるものである。
【００１６】
そして、該キャップ７には、開口側内周面に上記開口部３の雄ネジ部４と螺合する雌ネジ部８を内設した上で、その内部において根元に径大部９ｂを、先端に保持孔９ａを形成する保持軸９を介して本願発明の実施例１である化粧料塗布体１０を保持するものである。
【００１７】
ここで、上記キャップ７において保持される実施例１の化粧料塗布体１０は、保持軸９先端に形成される保持孔９ａに嵌合保持される軸部１１と、該軸部１１の先端方向において、互いに異なる長さを有するパイルを静電植毛加工によって一体に接着し、各々長さが異なるパイルよる複数の塗布面１２’、１２”を形成してなる塗布部１２とから一体に構成されるものである。
【００１８】
すなわち、実施例１の化粧料塗布体１０における塗布部１２の表面に静電植毛加工により一体に接着されるパイルは、その構成要素のうち、長さが異なっているものである。
そのため、該塗布部１２は、一面に短いパイルから形成される塗布面１２’と、他面に長いパイルから形成される塗布面１２”とを有するものとなる〔特に、図２（ロ）、図３（ロ）、（二）参照〕。
さらに、以下の実施例２乃至４においても、互いに異なることとなるパイルの構成要素をその長さとして説明する。
【００１９】
上述のように、本願発明の実施例１である化粧料塗布体１０の塗布部１２においては、一面は短いパイルから形成される塗布面１２’、他面は長いパイルから形成される塗布面１２”となっているものである。
従って、塗布部１２において、一面の短いパイルから形成される塗布面１２’では、相対的に化粧料６を少量しか貯留しないので、化粧料６を薄く塗布し、また塗布した化粧料６を平滑にすることもできるものとなる。
一方、他面の長いパイルから形成される塗布面１２”では、化粧料６を多量に貯留するので、化粧料６を厚く塗布することができるものとなる。
以上のとおり、使用者は、一つの化粧料塗布体１０において必要に合わせて塗布面１２’、１２”のいずれかを適宜選択することによって、化粧料６の塗布作業を簡易かつ確実に行うことができるものとなる。
【実施例２】
【００２０】
図４において示すのは、本願発明の実施例２である化粧料６を塗布する化粧料塗布体１０ａであり、該化粧料塗布体１０ａは実施例１の化粧料塗布体１０と同様に、キャップ７と容器本体２とからなる化粧料塗布容器１のキャップ７内に保持軸９を介して保持されるものであって、該化粧料塗布体１０ａも軸部１１ａと該軸部１１ａの先端方向に形成される塗布部１２ａとから一体に構成されるものである。
【００２１】
そして、本願発明の実施例２である化粧料塗布体１０ａの塗布部１２ａは、その塗布部１２ａが軸部１１ａの軸線を含む平面に対して凹湾曲しているものである。
すなわち、該塗布部１２ａは、軸部の軸線に直交する方向に塗布部幅全部にわたって谷部を形成するように、該軸部１１ａの軸線を含む平面に対して凹湾曲しているものであって、該塗布部１２ａの表面には、凹湾曲している一面に長いパイルから形成される塗布面１２ａ’、逆に凸湾曲している他面に短いパイルから形成される塗布面１２ａ”とを有するものとなる〔特に、図４（ロ）、（二）参照〕。
【００２２】
上述のように、本願発明の実施例２である化粧料塗布体１０ａの塗布部１２ａにおいては、凹湾曲している一面は長いパイルから形成される塗布面１２ａ’、逆に凸湾曲している他面は短いパイルから形成される塗布面１２ａ”となっているものである。
従って、塗布部１２ａにおいて、凹湾曲している一面の塗布面１２ａ’では、パイルが長い上に、凹湾曲面となっているので、化粧料６をより多量に貯留するので、化粧料６をより厚く塗布することができるものとなる。
一方、他面の短いパイルから形成される塗布面１２ａ”では、化粧料６を少量しか貯留しないので、化粧料６を薄く塗布し、また塗布した化粧料６を平滑にすることもできるものとなる。
以上のとおり、使用者は、一つの化粧料塗布体１０ａにおいて必要に合わせて塗布面１２ａ’、１２ａ”いずれかを適宜選択して、化粧料６の塗布作業を簡易かつ確実に行うことができるものとなる。
【実施例３】
【００２３】
図５において示すのは、本願発明の実施例３である化粧料６を塗布する化粧料塗布体１０ｂであり、該化粧料塗布体１０ｂは実施例１又は実施例２の化粧料塗布体１０、１０ａと同様に、キャップ７と容器本体２とからなる化粧料塗布容器１のキャップ７内に保持軸９を介して保持されるものであって、該化粧料塗布体１０ｂも軸部１１ｂと該軸部１１ｂの先端方向に形成される塗布部１２ｂとから一体に構成されるものである。
【００２４】
そして、本願発明の実施例３である化粧料塗布体１０ｂの塗布部１２ｂの表面は、軸部１１ｂの軸線方向において先端が短いパイルから形成される塗布面１２ｂ’、根元が長いパイルから形成される塗布面１２ｂ”とからなるものである。
すなわち、軸部１１ｂの軸線方向において該塗布部１２ｂは、先端は静電植毛加工により一体に接着される短いパイルの肉薄な塗布面１２ｂ’、根元は静電植毛加工により一体に接着される長いパイルの肉厚な塗布面１２ｂ”を有するものとなる〔特に、図５（ロ）、（二）参照〕。
【００２５】
上述のように、本願発明の実施例３である化粧料塗布体１０ｂの塗布部１２ｂにおいては、先端が短いパイルの肉薄な塗布面１２ｂ’、根元が長いパイル長い肉厚な塗布面１２ｂ”となっているものである。
従って、塗布部１２ｂにおいて、先端の肉薄な塗布面１２ｂ’では、化粧料６を少量しか貯留しないので、化粧料６を薄く塗布し、また塗布した化粧料６を平滑にすることもできるものとなる。
一方、根元の肉厚な塗布面１２ｂ”では、化粧料６を多量に貯留するので、化粧料６を厚く塗布することができるものとなる。
従って、使用者は、一つの化粧料塗布体１０ｂにおいて必要に合わせて塗布面１２ｂ’、１２ｂ”のいずれかを適宜選択して、化粧料６の塗布作業を簡易かつ確実に行うことができるものとなる。
【実施例４】
【００２６】
図６において示すのは、本願発明の実施例４である化粧料６を塗布する化粧料塗布体１０ｃであり、該化粧料塗布体１０ｃは実施例１乃至実施例３の化粧料塗布体１０、１０ａ、１０ｂと同様に、キャップ７と容器本体２とからなる化粧料塗布容器１のキャップ７内に保持軸９を介して保持されるものであって、該化粧料塗布体１０ｃも軸部１１ｃと該軸部１１ｃの先端方向に形成される塗布部１２ｃとから一体に構成されるものである。
【００２７】
そして、本願発明の実施例４である化粧料塗布体１０ｃの塗布部１２ｃの表面は、一面は長いパイルによって形成されつつ、その略中央の一部に短いパイルによって凹陥部１３が形成される塗布面１２ｃ’、他面は長いパイルによって平坦に形成される塗布面１２ｃ”とからなるものである。
すなわち、塗布部１２ｃは、一面が略中央に短いパイルによって凹陥部１３が形成されている塗布面１２ｃ’と、他面が平坦な塗布面１２ｃ”とを有するものである（図６参照）。
【００２８】
上述のように、本願発明の実施例４である化粧料塗布体１０ｃの塗布部１２ｃにおいては、一面が略中央に短いパイルにより凹陥部１３を形成している塗布面１２ｃ’、他面が平坦な塗布面１２ｃ”となっているものである。
従って、塗布部１２ｃにおいて、略中央の一部に凹陥部１３が形成されている一面の塗布面１２ｃ’では、化粧料６を多量に貯留するので、化粧料６を厚く塗布することができるとともに、略中央の短いパイルにより形成される凹陥部１３によってその表面を平滑にすることができるものとなる。
一方、凹陥部１３がない平坦な他面の塗布面１２ｃ”では、相対的に化粧料６を多量に貯留するので、化粧料６を厚く塗布することができるものとなる。
従って、使用者は、一つの化粧料塗布体１０ｃにおいて必要に合わせて塗布面１２ｃ’、１２ｃ”いずれかを適宜選択して、化粧料６の塗布作業を簡易かつ確実に行うことができるものとなる。
【符号の説明】
【００２９】
１    化粧料塗布容器
２    容器本体
３    開口部
４    雄ネジ部
５    シゴキ
６    化粧料
７    キャップ
８    雌ネジ部
９    保持軸
９ａ    保持孔
９ｂ    径大部
１０、１０ａ、１０ｂ、１０ｃ    化粧料塗布体
１１、１１ａ、１１ｂ、１１ｃ    軸部
１２、１２ａ、１２ｂ、１２ｃ    塗布部
１２’、１２”、１２ａ’、１２ａ”、１２ｂ’、１２ｂ”、１２ｃ’、１２ｃ”  塗布面
１３    凹陥部
【図１】
0006607432.tif 000002
【図２】
0006607432.tif 000003
【図３】
0006607432.tif 000004
【図４】
0006607432.tif 000005
【図５】
0006607432.tif 000006
【図６】
0006607432.tif 000007